(57)【特許請求の範囲】
【請求項１】
窓の両側辺からそれぞれカーテンの端辺が接近することによって、前記窓を覆うカーテンにおいて、
磁石又は強磁性体を収容可能なポケットを有するテープが、各カーテンの端辺に沿って取り付けられており、
前記テープは、前記カーテンの窓側の表面に縫い付けられており、
複数のカーテン同士当接する側の端辺が接近すると、それぞれのカーテンの前記テープに収容された磁石同士又は磁石と強磁性体とがひきつけられ、各カーテンの室内側の表面同士が密着した状態で複数のカーテンが両磁石に挟まれることを特徴とするカーテン。
【請求項２】
前記カーテンのカーテン生地は、山と谷が連続しているプリーツを有しており、
前記カーテンのカーテン生地は、一方の面がアクリル樹脂コーティングされていることを特徴とする請求項１に記載のカーテン。
【請求項３】
前記テープは、前記カーテンの端辺と室内側から見て端辺に最も近い山の頂点との間の部分に、前記カーテンの端辺に沿ってテープが縫い付けられていることを特徴とする請求項２に記載のカーテン。
【請求項４】
前記テープは、前記カーテンの端辺に近い端辺近傍が前記カーテンの端辺に沿ってテープが縫い付けられていることを特徴とする請求項３に記載のカーテン。
【請求項５】
前記カーテンは、窓の両側辺側の端辺がリターン縫製されていることを特徴とする請求項１乃至４のいずれかに記載のカーテン。
【発明の詳細な説明】
【技術分野】
【０００１】
本発明は、カーテンに関するものであり、特に、窓の両側辺からスライドして開閉するカーテンに関するものである。
【背景技術】
【０００２】
高い遮光性を実現するために、カーテン生地の窓側の表面にアクリル樹脂コーティングを行うカーテンが知られている。このようなカーテンは、厚いカーテン生地にアクリル樹脂コーティングを行うことによって、カーテンのプリーツが連続する左右方向に縮もうとする力が大きくなる。
【０００３】
窓の両側辺からスライドして開閉する複数のカーテンにおいて、このプリーツが連続する左右方向に縮もうとする力によって、各カーテンの端辺同士が離間してしまう。この各カーテンの端辺同士の離間によって、複数のカーテンは、窓の中央付近に隙間が発生する。
【０００４】
窓の中央付近のカーテンレール近傍では、各カーテンのランナー同士がくっついているのでカーテンの端辺同士が離間しにくい。しかし、カーテンの端辺は、ランナーから下方向に遠ざかると、カーテンの端辺同士が離間しやすくなる。
【０００５】
そのため、窓にカーテンを取り付けたにも関わらず、複数のカーテンの間の隙間から光が侵入してしまうという問題があった。
【０００６】
このような隙間を発生させないようにするために、特許文献１に示すカーテン止め具がある。このカーテン止め具は、各カーテンの突合せ端にカーテン生地を挟み込んだ状態で取り付けられるようになっている。
【先行技術文献】
【特許文献】
【０００７】
【特許文献１】実開昭５５‐３２１４２号公報
【発明の概要】
【発明が解決しようとする課題】
【０００８】
上記特許文献１のカーテン止め具は、カーテンの室内側及び窓側の両方にカーテン止め具が露出し、美観を損ねるという問題がある。またカーテンを洗濯する度に、カーテン止め具のカーテン生地からの取り外し、及び、カーテン生地への取付けを繰り返すこととなる。そのため、カーテン生地が痛むという問題がある。特にアクリル樹脂コーティングが破損すると、カーテンの遮光性が大幅に低下する。
【０００９】
隙間を発生させないようにするために、直接カーテン生地に磁石を縫い付ける方法も考えられる。しかしながら、縫い付けた磁石がカーテンの出荷前の検針チェックで引っかかってしまう問題がある。出荷前の検針チェックは、商品の安全性を確保するために必要不可欠である。したがって、カーテンの出荷前に検針チェックを行わないという選択は現実的ではない。
【００１０】
直接カーテン生地に磁石を縫い付けた場合、洗濯時に磁石を取り外せないので、洗濯槽が損傷する可能性があるという問題もある。
【００１１】
そこで、上記点より本発明は、カーテンの端辺同士が離間して隙間が発生すること防止し、カーテンの美観を損ねず、カーテンの生地が痛むことを防止し、カーテン出荷前の検針チェックに引っかからず、カーテンを洗濯する際に洗濯槽が損傷することを防止できるカーテンを提供することを目的とする。
【課題を解決するための手段】
【００１２】
上記課題を解決するため、請求項１のカーテンは、窓の両側辺からそれぞれカーテンの端辺が接近することによって、前記窓を覆うカーテンにおいて、磁石又は強磁性体を収容可能なポケットを有するテープが、各カーテンの端辺に沿って取り付けられており、前記テープは、前記カーテンの窓側の表面に縫い付けられており、複数のカーテン同士当接する側の端辺が接近すると、それぞれのカーテンの前記テープに収容された磁石同士又は磁石と強磁性体とがひきつけられ、各カーテンの室内側の表面同士が密着した状態で複数のカーテンが両磁石に挟まれる。
【００１３】
請求項１のカーテンによれば、遮光性の高いカーテンにおいてプリーツが連続する左右方向に縮もうとする力が大きくても、磁石同士又は磁石と強磁性体とがひきつけられることによって、複数のカーテンの端辺同士が隙間なく密着した状態を維持することができる。したがって、カーテンの端辺同士が離間して隙間が発生すること防止できる。
【００１４】
さらに、請求項１のカーテンによれば、前記テープは、前記カーテンの窓側の表面に縫い付けられており、複数のカーテン同士当接する側の端辺が接近すると、それぞれのカーテンの前記テープに収容された磁石同士又は磁石と強磁性体とがひきつけられ、各カーテンの室内側の表面同士が密着した状態で複数のカーテンが両磁石に挟まれる。そのため、カーテンの窓側の表面が室内側に露出することがなく、複数のカーテンの隙間を塞ぐことができる。
【００１５】
カーテンとは別体のカーテン止め具を使用することがないので、カーテンの室内側及び窓側におけるカーテンの美観を損ねない。テープに磁石又は強磁性体を収容及び取り出しを行うことで、カーテンの生地が痛むことを防止することができる。
【００１６】
磁石がポケットに収容可能となっているので、出荷時は磁石又は強磁性体を収容せずに購入後に磁石又は強磁性体をポケットに収容することができる。したがって、出荷時の検針チェックに引っかかることがない。カーテンを効率良く出荷することが可能となる。
【００１７】
また、磁石又は強磁性体がポケットに収容可能となっているので、カーテン洗濯するときには、ポケットから磁石又は強磁性体を取り出すことができる。カーテンに磁石又は強磁性体をカーテンの生地に直接縫い付けてしまう場合と異なり、カーテンを洗濯機で洗濯するときに、洗濯機の洗濯槽内部が損傷しない。
【００１８】
テープはカーテンの端辺を上下に引き延ばした形状を維持することができる。そのため、複数のカーテンの端辺同士の密着性を向上させることができる。
【００１９】
請求項２のカーテンは、請求項１のカーテンにおいて、前記カーテンのカーテン生地は、山と谷が連続しているプリーツを有しており、前記カーテンのカーテン生地は、少なくとも一方の面がアクリル樹脂コーティングされている。
【００２０】
アクリル樹脂コーティングされたカーテン生地の表面は、アクリル樹脂コーティングがされていないカーテン生地の表面に比べて美観性が劣る。請求項２のカーテンによれば、請求項１のカーテンと同様に作用する上に、アクリル樹脂コーティングされたカーテン生地が室内側に露出することなく、複数のカーテンの隙間を塞ぐことができる。したがって、室内側の美観性をより向上させることができる。
【００２１】
請求項３のカーテンは、請求項２のカーテンにおいて、前記テープは、前記カーテンの端辺と室内側から見て端辺に最も近い山の頂点との間の部分に、前記カーテンの端辺に沿ってテープが縫い付けられている。
【００２２】
請求項３のカーテンによれば、請求項２のカーテンと同様に作用する上に、それぞれテープが縫い付けられた複数のカーテンの端辺を接近させるだけで、両カーテンの室内側の表面同士が密着した状態で複数のカーテンがそれぞれのテープに収容された両磁石に挟まれる。この状態では、アクリル樹脂コーティングされたカーテン窓側の表面が室内側に露出しない。
【００２３】
請求項４のカーテンは、請求項３のカーテンにおいて、前記テープは、前記カーテンの端辺に近い端辺近傍が前記カーテンの端辺に沿ってテープが縫い付けられている。
【００２４】
アクリル樹脂コーティングされたカーテンは、窓側の表面から室内側に、縫い目の穴を通して光が侵入することがある。請求項４のカーテンによれば、請求項３のカーテンと同様に作用する上に、前記テープは、前記カーテンの端辺に近い端辺近傍が前記カーテンの端辺に沿ってテープが縫い付けられている。このテープの縫い付け方により、各カーテンの室内側の表面同士が磁石によって密着した部分より窓側に、テープをカーテンに縫い付けた縫い目が位置することになる。そのため、室内側に縫い目の穴を通して光が侵入しない。
【００２５】
請求項５のカーテンは、請求項１乃至４のいずれかのカーテンにおいて、窓の両側辺側の端辺がリターン縫製されている。
【００２６】
請求項５のカーテンによれば、請求項１乃至４のいずれかのカーテンと同様に作用する上に、カーテンの端辺同士が離間して隙間が発生すること防止できることに加えて、リターン縫製による窓の左右側の隙間を塞ぐことができる。
【発明の効果】
【００２７】
請求項１乃至５のいずれかのカーテンは、カーテンの端辺同士が離間して隙間が発生すること防止できることによって、光漏れを防いで遮光効果を向上させ、遮音効果を向上させ、室内外の熱の移動を抑制して冷暖房効率を向上させることができる。
【図面の簡単な説明】
【００２８】
【図１】本発明の一実施形態のカーテンをプリーツたたみした状態の端辺近傍の一部を示す平面図である。
【図２】図１の端辺に最も近いプリーツの山折線においてプリーツたたみでは重なっていた部分を開いた状態の端辺近傍の一部を示す平面図である。
【図３】複数の図１のカーテンの端辺同士が隙間なく密着した状態を示す概略断面図である。
【発明を実施するための形態】
【００２９】
本発明の一実施形態のカーテン１について、図面に基づいて説明する。以下カーテン１を窓に設置した場合において、カーテン１の長さ方向が上下方向となり、カーテン１の幅方向を左右方向となる。
【００３０】
図１は、本発明の一実施形態のカーテン１をプリーツたたみした状態の端辺１１の近傍の一部を示す平面図である。図中向かって左側の上下に延びる実線が端辺１１に最も近いプリーツの山折線２３である。
【００３１】
図２は、図１の端辺１１に最も近いプリーツの山折線２３においてプリーツたたみでは重なっていた部分を開いた状態の端辺１１の近傍の一部を示す平面図である。図中の中央の上下に延びる一点鎖線がプリーツの山折線２３である。
【００３２】
カーテン１は、窓の両側辺からそれぞれカーテン１の端辺１１が接近することによって、窓を覆うようになっている。各カーテン１は、窓の上辺近傍に取り付けられたカーテンレール及びランナーによって、各カーテン１の端辺１１同士が左右方向に接近及び離間可能となっている。
【００３３】
カーテン１のカーテン生地２は、カーテン１の左右方向に山と谷が連続しているプリーツを有している。
【００３４】
カーテン１のカーテン生地２は、一方の面がアクリル樹脂コーティングされている。カーテン生地２の一方の面２２はアクリル樹脂コーティングされている表面が露出し、他方の面２１はカーテン生地２自体の表面がそのまま露出するようになっている。このアクリル樹脂コーティングはカーテン１の窓側から室内側への光の侵入を妨げる。したがって、アクリル樹脂コーティングは、カーテン１の遮光性を向上させる役割を果たす。
【００３５】
このカーテン生地２を用いて製作されたカーテン１を窓に設置した場合、室内側にカーテン生地自体の表面であるカーテン生地２の他方の面２１が露出する。
【００３６】
同じくカーテン１を窓に設置した場合、窓側に、主にカーテン生地２のアクリル樹脂コーティングされている表面であるカーテン生地２の一方の面２２が露出する。また、カーテン１の端辺１１の近傍の一部では、カーテン１の端辺１１等で折り返されたカーテン生地自体の表面であるカーテン生地２の他方の面２１が露出するようになっている。
【００３７】
カーテン１には、テープ３が、カーテン１の端辺１１に沿って取り付けられている。テープ３は、カーテン１に取り付けられた状態において、端辺１１に沿ってカーテン１の長さ方向に延びる帯体である。
【００３８】
テープ３は、磁石５を収容可能なポケット４を有する。ポケット４は、収容する磁石５の形状に合わせた大きさとなっている。テープ３には、複数のポケット４が端辺１１に沿ってカーテン１の長さ方向に所定間隔で配置されている。本実施形態では、図２において、ポケット４は端辺１１に向かって開口している。磁石５はこの開口からポケット４に収容することができる。
【００３９】
テープ３は、カーテン１が設置された状態で、カーテン１の窓側の表面に縫い付けられている。より詳細に説明すると、図２に示すように、カーテン１の端辺１１と室内側から見て端辺１１に最も近い山の頂点との間の部分に、カーテン１の端辺１１に沿ってテープ３が縫い付けられている。端辺１１に最も近い山の頂点は、図２では一点鎖線のプリーツの山折線２３である。
【００４０】
テープ３は、カーテン１の端辺に沿って、カーテン１の端辺１１に近い端辺近傍が縫い付けられている。図１及び図２において、そのテープ３をカーテン１に縫い付けた縫い目６を示す。
【００４１】
図３は、各カーテン５，５の端辺１１，１１同士が隙間なく密着した状態を示す概略断面図である。図３中において、カーテン１の上側は室内側でありカーテン１の下側が窓側となる。
【００４２】
それぞれテープ３が縫い付けられたカーテン１，１の端辺１１，１１を接近させるだけで、図３に示すように、各カーテン１のテープ３に収容された磁石５同士がひきつけられる。磁石５同士がひきつけられると、各カーテン１の室内側の表面同士が密着した状態で両カーテン１，１が両磁石５，５に挟まれた状態となる。
【００４３】
図３に示すように、アクリル樹脂コーティングされたカーテン窓側の表面であるカーテン生地２の一方の面２２が室内側に露出することがなく、カーテン１，１の隙間を塞ぐことができる。
【００４４】
このとき、両カーテン１，１の室内側の表面同士が磁石５，５によって密着した部分より窓側に、テープ３、３をそれぞれカーテン１に縫い付けた縫い目６，６が位置するようになっている。
【００４５】
上記実施形態のカーテン１では、窓の両側辺側の端がリターン縫製されていてもよい。カーテン１の端辺１１同士が離間して隙間が発生すること防止できることに加えて、リターン縫製による窓の左右側の隙間を塞ぐことができる。
【００４６】
上記実施形態では、ポケット４に収容されているのが磁石５である場合について説明したが、これに限定されることはない。例えば、複数のカーテンのうち、一方のカーテンのポケットに磁石が収容され、他方のポケットに強磁性体が収容されていてもよい。
【００４７】
上記実施形態では、ポケット４は端辺１１に向かって開口している場合について説明したが、これに限定されることはない。ポケットの開口は自由に設けることができる。
【００４８】
本発明は複数のカーテンの端辺同士が隙間なく密着した状態を維持することができる機能を利用して、あるカーテンの端辺に別のカーテンの端辺を隙間なく密着させることができる。これにより、既存のカーテンの幅に、別のカーテン分の幅を容易に追加できる。また、カーテンの幅方向の途中でカーテン生地のデザインが変わるカーテンを実現することもできる。
【符号の説明】
【００４９】
１    カーテン
２    カーテン生地
３    テープ
４    ポケット
５    磁石
６    縫い目
１１  端辺
２１  他方の面
２２  一方の面
２３  プリーツの山折線
【図１】
0006771205.tif 000002
【図２】
0006771205.tif 000003
【図３】
0006771205.tif 000004